(57)【要約】【課題】おにぎりを素早く、かつ簡単につくれてそのまま保存や持ち運びができるたて型おにぎり成型、保存樹脂容器を提供する。【解決手段】三角形のおにぎり３個分を立てて並べた状態で覆い得る本体（１）と、この本体に形成される開口と密着接合可能な面を底辺として、そこからおにぎりを隔てる仕切りを垂直に延設した外蓋（３）と、これら本体及び外蓋に介在させる板状体であって、前記仕切りが通過可能な位置決め穴を形成して成る内蓋（２）とから成る、たて型おにぎり成型・保存樹脂容器であることを特徴とする。【選択図】図１
2005102678.tif 000002
【特許請求の範囲】
【請求項１】
三角形のおにぎり３個分を、逆三角形に立てて並べた状態で覆い得る本体（１）と、おにぎりを隔てる仕切りを垂直に延設した外蓋（３）と、前記仕切りが通過可能な位置決め穴を形成して成る内蓋（２）とから成る、たて型おにぎり成型・保存樹脂容器。
【発明の詳細な説明】
【発明の詳細な説明】
【技術分野】
【０００１】  この発明は、３個のおにぎりを、手を汚さず素早く、かつ簡単につくれてそのまま保存や持ち運びができる、たて型おにぎり成型・保存樹脂容器に関するものである。
【背景技術】
【０００２】  従来、おにぎりの成型器は、三角形の上下の型により圧入して成型する貝殻式のおにぎりパック（特開２０００−１４３４２）、成型器の一部に取っ手を付け、そのままご飯をすくえる、取っ手付きおにぎり成型器（実開平５−１３１９０）、三角柱の三辺のうち、一辺が開口しており、その中に数枚の仕切りを有する簡便おにぎり成型器（実開平５−９１３８１）などがある。
【発明が解決しようとする課題】
【０００３】  これらは、次のような欠点があった。
従来ある成型器では、ご飯を詰める容器が複雑であったり、小さく、また狭いため、しゃもじや手などでは、非常にご飯が詰めずらかった。また、成型器は、密封性がないため、保存や持ち運びには適していない。
【課題を解決するための手段】
【０００４】３個分の三角おにぎりの外形に沿った本体（１）と、おにぎりを隔てる仕切りを垂直に延設した外蓋（３）と、これら本体及び外蓋に介在させる前記仕切りが通過可能な位置決め穴を有する内蓋（２）との構成からなる、たて型おにぎり成型・保存樹脂容器であって、これらの蓋をすることで、ご飯を圧入し３個分の量の材料をおにぎりの形状に成型することを特徴とする。
【発明を実施するための最良の形態】
【０００５】  以下、図面に基づいて本発明の実施の形態を説明する。
先ず、図１を参照しつつ、本発明の実施の形態について説明すれば、本発明の実施の形態にかかる、たて型おにぎり成型・保存樹脂容器は、三角形のおにぎり３個分を逆三角形を立てて並べた状態で覆い得る本体（１）と、おにぎりを隔てる仕切りを垂直に延設した外蓋（３）と、前記仕切りが通過可能な位置決め穴を形成して成る内蓋（２）とから構成されている。
本体（１）は、三角形の一角を下にした状態で、一辺は例えば７ｃｍ〜１０ｃｍ程度、横幅は１２ｃｍ〜１５ｃｍ程度の三角柱を寝かせた形状にし、材質は保存性、及び耐熱性を考慮して、熱可塑性合成樹脂等によって形成し、直接ご飯と接する部分は、ご飯の付着を防止するために凹凸加工を施す。ここでいう凹凸加工とは、極小の円型突起を一定間隔に突設したもので、ご飯用しゃもじなどに広く用いられる技術を指している。全体は、洗い易いように角をなくし、面取り処理を施す。【０００６】本体（１）の開口部は、一例として、上方向に２ｃｍ程度の垂直な枠を形成し、敷居（４）は分割部分に枠の１ｃｍ程度下から、おもむろに詰め込んだご飯を形良く３つに仕切るための補助的な役割を果たす高さ５ｍｍ〜１０ｍｍ程度の直線状の山型突起を形成させる。次に、図２に基づき説明すれば、本体外側のＡ−Ａ’部分には、横方向に幅２ｃｍ〜４ｃｍ、高さ５ｍｍ程度の止め具受け（１５）を形成し、止め具受け（１５）の下部には、横方向いっぱいに、幅１ｃｍ程度の滑り止め（１７）を突設させる。【０００７】前記外蓋（３）は、本体（１）と同一の素材によって形成され、図２のＢ−Ｂ’部分に基づき説明すれば、外蓋（３）は、おにぎりを均一に分割する仕切り（９）を設け、本体（１）の分割部分と同じ間隔で、敷居（４）の山型突起の頂点全体に接する厚さ１ｍｍ〜３ｍｍ程度の半楕円形を形成させる。また、楕円中心になるにつれ厚みが増していく形状とすることが望ましい。本体（１）の開口部と内接できるよう、高さ５ｍｍ〜１０ｍｍ程度の縁を設け、図２のＡ−Ａ’部分に基づき説明すれば、外蓋（３）の縁に、半径５ｍｍ程度の半円の空気抜きを形成する。また、密封性を高めるために縁の付け根部分に、幅７ｍｍ程度のゴムパッキンを取り付け、外蓋（３）外側のＡ−Ａ’部分には、幅２ｃｍ〜４ｃｍ、高さ２ｃｍ程度の蝶番式フックにより、本体（１）の止め具受け（１５）と合致する止め具（１４）を設る。図２に見られる通り、外蓋（３）が上にある状態では収納時不安定であるため、外蓋（３）の上部四方向に高さ３ｍｍ程度の山状突起（１６）を設けることにより、収納時に外蓋（３）を下にすることで、安定しやすく外蓋（３）表面に傷を付けない様になる。【０００８】前記内蓋（２）は、本体（１）と同一の素材によって形成され、内蓋（２）は、本体（１）及び外蓋（３）を介在させる板状のもので、本体側はおにぎりを成型し、外蓋側は仕切り（７）を補助する構成とする。内蓋（２）の外形は、本体（１）の開口部と内接し全体の厚みが５ｍｍ〜１０ｍｍ程度で形成する。図２のＢ−Ｂ’部分について説明すれば、内蓋（２）の分割部分には、本体（１）の敷居（４）上部の山型突起と合致できる様、深さ５ｍｍ〜１０ｍｍ程度の山型へこみを形成する。図２のＡ−Ａ’部分について説明すれば、成型上部（７）は、深さ３ｍｍ〜７ｍｍ程度で三角おにぎりの一辺の外形に沿った形状にしており、内蓋（２）の外蓋（３）側には、たくあんなど比較的平たい漬物が入れられるように、外蓋（３）側方向に高さ５ｍｍ〜１０ｍｍ程度の垂直な外枠を形成させる。本体（１）の敷居（４）上部先端を結ぶ内蓋（２）の分割部分には、長さ５ｃｍ〜８ｃｍ程度、幅５ｍｍ程度の位置きめ穴（６）を開口させる。【０００９】  本発明は以上の構成よりなっている。
三角おにぎりを逆三角形に三つ並べた状態において、その外形に沿って作られた本体（１）は、上部の一辺が開口しており、いままでは、しゃもじなどでは詰めずらかったご飯を、本発明のように仕切りをなくした。たて型成型にすることによって素早く、かつ簡単にご飯を充填することができる。また途中でお好みの具を入れ、内蓋（２）で蓋をする前に塩などで味付けをする。【００１０】内蓋（２）は本体（１）の開口部に内接する形状になっており、本体（１）の内側と内蓋（２）の成型上部（７）により、連続した３個の三角おにぎりが成型される。成型上部（７）の反対側には、比較的薄い、または少量の漬物や惣菜などを入れられるへこみを設けている。外蓋（３）の仕切り（９）は、本体（１）と内蓋（２）により成型されたおにぎりを、均等に分割するナイフ的な役割をしている。また、内蓋（２）の受け皿（１１）と対象的に受け皿（１２）が設けており、おにぎり完成と同時に受け皿（１２）に漬物や惣菜が添えられるようになっている。【００１１】止め具（１４）をした状態で全体を上下左右軽くふる、これによって米どうしがくっついて、成型部表面の付着を防止し、おにぎりが本体から取れ易くなる。本体（１）から内蓋（２）、外蓋（３）をいっしょに取り外すと、成型された３個のおにぎりが内蓋（２）の成型上部（７）上に出来上がる。ここでまた、おにぎり全体に塩を振り、海苔を巻けば、パリパリ海苔のおにぎりができる。湿った海苔のおにぎりの場合は、塩を振った後に海苔を巻いて、再び本体（１）をかぶせ、冷蔵・冷凍保存または、時間をおくと湿った海苔のおにぎりができあがる。最後に、内蓋（２）から外蓋（３）を引き抜けば、３個のおにぎりが成型上部（７）上に形成される。【００１２】本発明の成型容器は、実施の形態で、成型個数を３個と説明してあるが、応用として１個や２個など、任意の個数分の大きさに形成してもよい。おにぎりの形状に関しても、三角形だけではなく、俵型やハート型に成型可能な型を形成することも考えられる。また、成型容器の材質は、プラスチック製品で使われている様な材質や、木、鉄板、ガラスなどで形成してもよい。
【発明の効果】
【００１３】  本発明を使用する事によって、手を汚さず素早く、かつ簡単につくれてそのまま保存や持ち運びができる。しかも、ちょっとしたレジャーなどでもお店で買わずにすむので、お金の節約にもなる。
【図面の簡単な説明】
【図１】本発明の分解斜視図
【図２】本発明の斜視図
【図３】本発明の図２のＡ−Ａ’断面図
【図４】本発明の図２のＢ−Ｂ’断面図
【図５】本発明のおにぎり形成状態を示す斜視図
【符号の説明】
１  本体
２  内蓋
３  外蓋
４  敷居
５  凹凸加工
６  位置決め穴
７  成型上部
８  凹凸加工
９  仕切り
１０  凹凸加工
１１  受け皿
１２  受け皿
１３  ゴムパッキン
１４  止め具
１５  止め具受け
１６  山状突起
１７  滑り止め
【図１】
2005102678.tif 000003
【図２】
2005102678.tif 000004
【図３】
2005102678.tif 000005
【図４】
2005102678.tif 000006
【図５】
2005102678.tif 000007